(57)【要約】【課題】  テニスにおいてトップスピンをかけた際のボールの回転速度が解るテニス練習具を提供する。【解決手段】  実際に使用されるテニスラケット１１又は疑似ラケットからなるラケットに取付けられる支持手段１３と、支持手段１３に回転自在に取付けられ、その表面の少なくとも一部が支持手段１３から突出かつ露出している回転体１４と、回転体１４の回転を検知し、回転体１４の回転速度を音に変換する音発生器、又は回転体１４の回転速度を視覚を通じて認識できる表示器を備える速度出力手段３４とを有する。【選択図】        図１
2006116077.tif 000002
【特許請求の範囲】
【請求項１】
実際に使用されるテニスラケット又は疑似ラケットからなるラケットに取付けられる支持手段と、
前記支持手段に回転自在に取付けられ、その表面の少なくとも一部が前記支持手段から突出かつ露出している回転体と、
前記回転体の回転を検知し、該回転体の回転速度を音に変換する音発生器、又は該回転体の回転速度を視覚を通じて認識できる表示器を備える速度出力手段とを有することを特徴とするテニス練習具。
【請求項２】
請求項１記載のテニス練習具において、前記支持手段は、前記ラケットのフレームに張設されているストリングスに取り外し可能に取付けられるベース部材と、該ベース部材に取付けられ、前記回転体を支持する軸受部材とを有し、
更に、前記回転体の少なくとも外側は反発性を有する部材が使用されていることを特徴とするテニス練習具。
【請求項３】
請求項２記載のテニス練習具において、前記回転体は、弾性部材を介して前記ベース部材に対して突出する方向に付勢されていることを特徴とするテニス練習具。
【請求項４】
請求項３記載のテニス練習具において、前記回転体が車輪状となって、前記軸受部材は前記回転体の両側を支持するコ字状軸受部と、該コ字状軸受部の基側に設けられかつ前記ベース部材に軸受部を介して回動自在に取付けられた支持基部とを有し、
前記弾性部材は前記軸受部材を前記ベース部材に対して外方向に付勢するスプリングを有することを特徴とするテニス練習具。
【請求項５】
請求項３記載のテニス練習具において、前記回転体が車輪状となって、前記軸受部材は前記回転体の両側を支持するコ字状軸受部を有し、
前記弾性部材は前記コ字状軸受部を前記ベース部材に対して外方向に付勢するスプリングを有することを特徴とするテニス練習具。
【請求項６】
請求項１〜５のいずれか１項に記載のテニス練習具において、前記速度出力手段は、サイレンからなる前記音発生器、前記回転体の回転速度を検出するセンサーの出力に応じて光の色が変わる色可変型速度表示器、前記回転体の回転速度を検出するセンサーの出力をデジタル又はアナログ表示する指示計型表示器、前記回転体の回転速度を検出するセンサーの出力を音の周波数に変換してスピーカから出力する音色型速度表示器、及び前記回転体の回転速度を検出するセンサーの出力によって発光器の点滅速度を変える点滅型速度表示器のいずれか１又は２以上が用いられていることを特徴とするテニス練習具。
【請求項７】
請求項１記載のテニス練習具において、前記回転体は、弾性力を有する又は剛体からなる球体であって、前記支持手段は該球体の上部を露出させて回転可能に支持する空間部を有し、
更に、前記速度出力手段は、前記支持手段に設けられて前記球体の回転を検知して電気信号に変換するセンサーと、該センサーの出力に応じて光の色が変わる色可変型速度表示器、該センサーの出力をデジタル又はアナログ表示する指示計型表示器、該センサーの出力を音の周波数に変換してスピーカから出力する音色型速度表示器、及び該センサーの出力によって発光器の点滅速度を変える点滅型速度表示器のいずれか１とを有することを特徴とするテニス練習具。
【発明の詳細な説明】
【技術分野】
【０００１】
本発明は、テニス用のラケットに取付けて、ラケットを振る際にトップスピンをかける練習を行うテニス練習具に関する。
【背景技術】
【０００２】
従来、テニス、野球、及びゴルフ等の打球技において、ラケット、バット、及びクラブ等の打球具を振る際のスイングの速度、あるいは打球具によって打ち出されたボールのスピードを測定する速度測定器が開発されている（例えば、特許文献１参照）。また、テニスにおいては、所定長さのシャフトの先端にボールを回転自在に取付けて、トップスピン（順回転）、スライス（逆回転）、及びフラット（回転させない）等の練習を行うテニス練習機も開発されている（例えば、特許文献２参照）。
【０００３】
【特許文献１】特表２０００−５００２２９号公報
【特許文献２】特開２００３−５２８７９号公報
【発明の開示】
【発明が解決しようとする課題】
【０００４】
しかしながら、特許文献１の発明では、ボール又は打球具の速度を測定するだけで、ボールに与えられた回転を測定することができなかった。特にテニスにおいては、トップスピンをかけたときのボールの時間当たりの回転数（回転速度）は測定されていなかった。従って、トップスピンを打つ練習では、実際にボールを打って練習せざるを得ず、広い場所及び練習相手が必要であった。また、特許文献２の発明では、ボールにトップスピンをかけることはできるが、ボールの回転の度合い、すなわち、回転の強さはボールの回転を目視しなければならなかった。
【０００５】
本発明はかかる事情に鑑みてなされたもので、テニスにおいてトップスピンをかけた際のボールの回転速度が解るテニス練習具を提供することを目的とする。
【課題を解決するための手段】
【０００６】
前記目的に沿う本発明に係るテニス練習具は、実際に使用されるテニスラケット又は疑似ラケットからなるラケットに取付けられる支持手段と、
前記支持手段に回転自在に取付けられ、その表面の少なくとも一部が前記支持手段から突出かつ露出している回転体と、
前記回転体の回転を検知し、該回転体の回転速度を音に変換する音発生器、又は該回転体の回転速度を視覚を通じて認識できる表示器を備える速度出力手段とを有する。
【０００７】
本発明のテニス練習具において、回転体の回転を検知するセンサーとしては、反射式及び透過型の光電センサー、及び磁気（金属）センサー等があり、特に、回転体が車輪状の場合には、その回転軸に取付けられるロータリーエンコーダを使用してもよい。
テニス練習具を使用して回転体にトップスピン（順回転）をかける場合、立設（垂直又は傾斜して）配置された壁板に向かってラケットを振り、回転体が壁板に当たると同時にラケットを上方に移動させて回転体を回転させる。この際の回転体の回転速度（時間当たりの回転数）を速度出力手段によって知ることができるので、この回転速度によりどの程度のトップスピンがかかったかを知ることができる。
【発明の効果】
【０００８】
本発明に係るテニス練習具においては、回転体の回転速度を音に変換する音発生器、又は回転体の回転速度を視覚を通じて認識できる表示器を備える速度出力手段を有するので、回転体の回転の度合いを知ることができ、効率的な練習ができる。また、回転体が支持手段から突出かつ露出しているので、ラケットを振る際には回転体が壁板に接触して支持手段が壊れ難くなる。更に、ラケットに取付けて使用するので、狭い場所で、しかも、一人で練習できる。
【０００９】
また、支持手段をラケットのフレームに張設されているストリングスに取り外し可能に取付けた場合には、ストリングスの弾力により、回転体の壁板との接触による衝撃を和らげることができると共に、複数のラケットに取付けて練習ができる。回転体の外側を反発性を有する部材で形成した場合には、回転体の壁板との接触による衝撃を和らげることができる。回転体を弾性部材を介してベース部材に対して突出する方向に付勢させた場合には、回転体を壁板と接触させた場合に、回転体が弾性部材の付勢に対向してベース部材側に移動するので、接触による衝撃を緩衝して、テニス練習具の破損を防止することができる。回転体を弾性力を有する球体とした場合には、回転体をどの方向にも回転させることができる。
【発明を実施するための最良の形態】
【００１０】
続いて、添付した図面を参照しつつ、本発明を具体化した実施の形態につき説明し、本発明の理解に供する。
ここで、図１及び図２はそれぞれ本発明の第１の実施の形態に係るテニス練習具の正面図、側面図、図３は同テニス練習具を取付けたテニスラケットの説明図、図４は同テニス練習具の速度出力手段の説明図、図５〜図７はそれぞれ本発明の第２の実施の形態に係るテニス練習具の正面図、側面図、平面図、図８（Ａ）、（Ｂ）はそれぞれ同テニス練習具の音発生器の正断面図、側面図、図９及び図１０はそれぞれ本発明の第３の実施の形態に係るテニス練習具の正面図、側面図、図１１は本発明の第４の実施の形態に係るテニス練習具の説明図、図１２は同テニス練習具を取付けた疑似ラケットの説明図である。
【００１１】
図１〜図４を参照して、本発明の第１の実施の形態に係るテニス練習具１０について説明する。
テニス練習具１０は、ラケットの一例である実際に使用されるテニスラケット１１のフレーム１１ａに格子状に張設されたストリングス１２に取付けられる支持手段１３と、支持手段１３に回転自在に取付けられる回転体１４とを有し、更に、回転体１４の回転数を検知して、その回転速度を認識できる速度出力手段を構成する指示計型表示器３４を備えている。以下、詳しく説明する。
【００１２】
回転体１４は、車輪状となっており、その軸心には回転軸１６が設けられ、回転軸１６を中心として回転自在となっている。また、回転体１４の外周面には、反発力を有する部材の一例であるゴム製リング１５が取付けられている。回転体１４の外周の直径は、テニスボール１７の直径（６．３５〜６．６７ｃｍ）よりも小さく形成され、しかも、回転体１４のストリングス１２からの突出高さは、テニスボール１７の直径と同じ長さとなって、更に、回転体１４の最も突出している部分がテニスラケット１１のスイートスポットのほぼ中心となるように配置されている。なお、回転体１４のストリングス１２からの突出高さは、テニスボール１７の直径の１〜２倍程度にできる。また、図２に示すように、回転体１４を側面視した際の外側形状は、テニスボール１７の半径を円弧とした樽型となっている。更に、回転体１４の一側面側の一部には、光を反射する反射材１８が取付けられている。
【００１３】
支持手段１３は、ストリングス１２に取り外し可能に固定される矩形薄板状のベース部材１９と、ベース部材１９に立設配置され、回転体１４の回転軸１６の両端をそれぞれ支持する図示しない軸受が設けられた一対の軸受部材２０、２１とを備え、しかも、支持手段１３に取付けた回転体１４の表面の一部が支持手段１３から突出かつ露出して配置されている。
【００１４】
ベース部材１９は、一端及び他端にストリングス１２に引っ掛けて固定可能な鉤状の引掛部２２がそれぞれ１又は複数、例えば２個ずつ設けられている。引掛部２２の先部には、内側に折り返された爪３６が設けられ、テニス練習具１０がストリングス１２から外れ難くなっている。引掛部２２の爪３６を引き上げて、テニス練習具１０をストリングス１２から取り外すことができる。
【００１５】
ベース部材１９は、テニスラケット１１の前面、すなわちテニスボール１７を打つ側のストリングス１２の中央部（テニスラケット１１のスイートスポット又はその近傍）に取付けられる。図３に示すように、テニスラケット１１のフェイス面（打球面）２６を前方に向け地面に対して垂直に、かつ、テニスラケット１１のグリップ２７を地面と平行になるようにテニスラケット１１を配置した場合（以下、基本ポジションという）に、引掛部２２がベース部材１９の上下に位置するようにテニス練習具１０を配置して、一方側（例えば、上側）の引掛部２２をストリングス１２に引っ掛けた状態で、他方側（下側）の引掛部２２をストリングス１２を撓めながら引っ掛ける。
【００１６】
支持手段１３の一対の軸受部材２０、２１は、所定の間隔を有して配置され、軸受部材２０、２１にそれぞれ設けられた軸受は、ベース部材１９と所定の間隔を設けて対向配置され、回転体１４の回転軸１６を回転自在に支持している。軸受部材２０、２１は、テニスラケット１１が前記した基本ポジションにある場合、フェイス面２６に回転体１４の回転軸１６が地面と平行となるように、ベース部材１９の左右にそれぞれ取付けられている。
【００１７】
更に、一方側（グリップ２７側）の軸受部材２０には、回転体１４に設けられた反射材１８に向けて光を発射する発光部２９、及び反射材１８で反射した光（反射光）を受光する受光部３０を備えた反射型の光電センサー３１（速度出力手段を構成するセンサーの一例）が設けられ、回転体１４の回転が検知可能となっている。軸受部材２０には、光電センサー３１によって検知した回転体１４の回転をカウントするカウンタ３２と、カウンタ３２によって計測された回転数を時間当たりの回転数、すなわち、回転速度に変換するコンピュータ３３が設けられている。
【００１８】
更に、軸受部材２０の外側には、コンピュータ３３で変換された回転速度をデジタル表示する指示計型表示器３４が取付けられ、視覚によって回転体１４の回転速度を認識することができる。軸受部材２０には、光電センサー３１、カウンタ３２、コンピュータ３３、及び指示計型表示器３４へ電気を供給する電池３５が設けられている（図４参照）。なお、指示計型表示器は、回転体１４の回転速度をアナログで表示するものであってもよい。また、回転体の軸心方向に貫通孔を設け、一対の軸受部材に透過型の光電センサーの発光部及び受光部をそれぞれ配置して、発光部から発射されて貫通孔を通過した光を受光部で受けることにより、回転体の回転を検知する表示器を設けることもできる。カウンタ、コンピュータ、及び電池は、ベース部材に設置してもよい。電池は、一次電池又は二次電池でもよく、ソーラーバッテリ及び蓄電池で構成することもできる。
【００１９】
図４に二点鎖線で示すように、コンピュータ３３には、回転体１４の回転数によって周波数の異なる音を発生するスピーカを備えた音色型速度表示器３６ａを接続することができる。音色型速度表示器３６ａは、回転体１４の回転速度が速い、普通、又は遅い場合にそれぞれ、８８０ヘルツ、４４０ヘルツ、２２０ヘルツに変換した音をスピーカから発生することができる。また、音色型速度表示器３６ａは、回転速度に正比例させた周波数の音をスピーカから発生することもできる。
【００２０】
図４に二点鎖線で示すように、コンピュータ３３には、回転体１４の回転速度を検出するセンサーの出力によって色の異なる、例えば、青色、赤色、及び緑色の発光ダイオード３７ａ、３７ｂ、３７ｃを発光させる色可変型速度表示器３７ｄを接続することができる。色可変型速度表示器３７ｄは、回転体１４の回転速度が速い、普通、又は遅い場合に、それぞれ青色、赤色、及び緑色の発光ダイオード３７ａ、３７ｂ、３７ｃを点灯させることができる。また、発光ダイオード３７ａ、３７ｂ、３７ｃを２つ以上同時に点灯して回転速度によって発する光の色を変えてもよい。また、色可変型速度表示器を発光ダイオードの代わりに、着色した電球、又は、液晶等で構成してもよい。
【００２１】
図４に二点鎖線で示すように、コンピュータ３３には、回転体１４の回転速度（回転数）を検出するセンサーの出力によって発光器（例えば、発光ダイオード、及び電球等）の点滅速度を変える点滅型速度表示器３８を接続することができる。
このように、コンピュータ３３には、指示計型表示器３４、音色型速度表示器３６ａ、色可変型速度表示器３７ｄ、及び点滅型速度表示器３８のいずれか１又は２以上を用いた速度出力手段が設けられ、回転体１４の回転速度を音、又は視覚を通じて認識することができる。
【００２２】
次に、テニス練習具１０の使用方法について説明する。
図３に示すように、テニスラケット１１にテニス練習具１０を取付けて、軸受部材２０に設けられた光電センサー３１の発光部２９から回転体１４に光が照射された状態で、立設配置された図示しない壁板に向かってテニスラケット１１を振る。回転体１４を壁板に接触させると同時にテニスラケット１１を上方に振り回転体１４を順回転させる。この際に、発光部２９から回転体１４に照射された光は、回転体１４に設けられた反射材１８に当たると反射して、軸受部材２０に設けられた光電センサー３１の受光部３０で検知される。
【００２３】
回転体１４には１個の反射材１８が設けられているので、受光部３０で検知される反射光の受光回数と回転体１４の回転数が同じとなる。受光部３０で検知された受光回数は、カウンタ３２及びコンピュータ３３によって時間当たりの回転数（回転速度）に変換され、指示計型表示器３４に回転速度がデジタル表示される。回転速度は、例えば、１秒間毎、１分間毎、及び１時間毎のいずれか１を表示してもよく、いずれか２以上を切り替えて表示できるようにしてもよい。回転体１４の回転速度によって順回転の度合い、例えば、回転速度が速い場合には強烈なトップスピンがかかったことが解る。
【００２４】
指示計型表示器３４が設けられた軸受部材２０がグリップ２７側となるように、テニス練習具１０をテニスラケット１１に取付けたので、指示計型表示器３４が見易くなっている。
回転体１４の外周面には、ゴム製リング１５が取付けられているので、回転体１４の壁板への接触時の衝撃を和らげることができる。また、回転体１４が支持手段１３から突出及び露出しているので、テニスラケット１１を振る際に回転体１４が壁板に接触して支持手段１３が壊れ難くなっている。
【００２５】
図５〜図８を参照して、本発明の第２の実施の形態に係るテニス練習具４０について説明する。なお、テニス練習具１０と同一の構成要素については同一の番号を付してその詳しい説明を省略する。また、以下の説明において、テニス練習具４０は図３の基本ポジションにあるテニスラケット１１に取付けられた状態としている（以下の実施の形態においても同じ）。
【００２６】
テニス練習具４０は、速度出力手段を構成するサイレンからなる音発生器４２を備えている点と、軸受部材４３が車輪状の回転体４１を支持するコ字状軸受部４８及びコ字状軸受部４８の基側に設けられかつベース部材１９に回動自在に取付けられた支持基部４９を有する点と、回転体４１が軸受部材４３をベース部材１９に対して外方向に付勢する弾性部材の一例であるスプリング５０を介してベース部材１９に対して突出する方向に付勢されている点と、ベース部材１９をボルト２４及びナット２８によってストリングス１２に固定する点とが、テニス練習具１０と異なっている。以下、詳しく説明する。
【００２７】
図５〜図７に示すように、テニス練習具４０は、ベース部材１９（第１の実施の形態と実質的に同じ）の上下に、１又は複数、例えば２個の貫通孔２５がそれぞれ設けられ、貫通孔２５に連通する貫通孔２３ａを有する固定板２３を、ストリングス１２を挟んで反対側に配置して、貫通孔２５及び貫通孔２３ａに挿通するボルト２４及びナット２８によりストリングス１２に固定できるようになっている。また、ベース部材１９と固定板２３との間には、ウレタン等で形成されたスペーサー３７が配置され、ストリングス１２を保護している。なお、スペーサーの替わりに、固定板２３にストリングス１２の対応する位置に凹部を設けてもよい。
【００２８】
また、ベース部材１９の上側には、軸受部材４３の支持基部４９を貫通して配置される回動軸５１を介して回動自在に取付ける左右の軸受部５２、５３が設けられ、軸受部材４３のコ字状軸受部４８に取付けられた回転体４１が回動軸５１を中心として前後方向に回動可能となっている。なお、ベース部材１９及び軸受部材４３によって支持手段が構成されている。
【００２９】
更に、スプリング５０は、図７に示すように、ベース部材１９に基部が配置され、軸受部５２側の回動軸５１、支持基部４９、及び軸受部５３側の回動軸５１を介して、ベース部材１９に先部が配置されており、軸受部材４３をベース部材１９に対して外方向、すなわち、前方に付勢している。軸受部材４３に取付けた回転体４１の表面の一部は支持手段から突出かつ露出して配置されている。
【００３０】
また、支持基部４９には、スプリング５０によってベース部材１９に対して外方向に付勢される軸受部材４３を所定位置で止めるストッパー４９ａが設けられている。回転体４１がベース部材１９側に移動した状態（図５において、二点鎖線で示す）で、回転体４１が外側に露出可能であり、しかも、軸受部材４３及び回動部５２、５３が露出しない流線型のカバー５０ａ（二点鎖線で示す）がベース部材１９に取付けられ、テニス練習具４０を保護すると共に、空気抵抗を減少させてテニスラケット１１を振り易くしている。
【００３１】
図８（Ａ）、（Ｂ）に示すように、音発生器４２は、コ字状軸受部４８の一方側に固定され、内部に滑り軸受４６が設けられた円筒状の固定軸４４と、固定軸４４に取付けられる固定円板５５とを有する固定部材５５ａを備えている。固定円板５５には、複数、例えば、円周方向に等間隔で１６個、かつ半径方向に３段、合計４８個の貫通孔５４がコ字状軸受部４８の一方側から他方側へ半径方向外側に広がる方向に斜めに設けられている。
【００３２】
また、音発生器４２は、コ字状軸受部４８の他方側に設けられた滑り軸受４７に回転自在に取付けられる筒状の回転軸４５と、回転軸４５に取付けられ、回転軸４５に連通して設けられる大径の筒体５６と、固定円板５５と隙間を有して対面して筒体５６に配置される回転円板５９と、回転円板５９に設けられ、固定軸４４の滑り軸受４７で支持される回転軸４５ａとを有する回転部材５９ａを備えている。回転円板５９は、固定円板５５の貫通孔５４と実質的に同じ位置で、コ字状軸受部４８の他方側から一方側へ半径方向外側に広がる方向に斜めに穿設される４８個の貫通孔５８を備えている。また、筒体５６の内部には空気室５７が形成されている。
【００３３】
筒体５６の外周面には、反発力を有する部材の一例であるゴム製リング１５が取付けられ、回転部材５９ａとゴム製リング１５とで回転体４１が構成されている。ゴム製リング１５によって、回転体４１の壁板への衝突の際の衝撃を抑えることができる。また、回転体４１のストリングス１２からの突出高さは、テニスボール１７の直径と同じ長さとなって、更に、回転体４１の最も突出している部分がテニスラケット１１のスイートスポットのほぼ中心となるように配置されている。回転体４１を側面視した際の外側形状は、テニスボール１７の半径を円弧とした樽型となっている。
【００３４】
ここで、回転円板５９の貫通孔５８がコ字状軸受部４８の他方側から一方側へ半径方向外側に広がる方向に斜めに穿設されているので、回転体４１の回転によって空気室５７内の空気は、遠心力で回転円板５９側に移動する。貫通孔５４及び貫通孔５８が一致した場合、空気室５７内の空気は、貫通孔５８から貫通孔５４を通って音発生器４２の外部に放出される。また、貫通孔５４及び貫通孔５８が一致しない場合、空気室５７内の空気は、音発生器４２の外部に放出されない。このような断続的な空気流によって音が発生する。空気が貫通孔５４及び貫通孔５８を通過する際には、回転体４１の外側の空気が回転軸４５を介して空気室５７に供給される。
【００３５】
ここで、音の単位時間当たりの振動数は、同一半径に設けられた貫通孔５８の数（１６個）と、回転体４１の時間当たりの回転数を掛け合わせたものであり、例えば、１秒間当たりの回転体４１の回転数が２０回である場合には、１秒間当たりの振動数が３２０、すなわち、３２０ヘルツとなる。従って、発生する音の振動数（周波数）が高い場合には、回転体４１の回転速度が速いことが解る。また、回転円板５９は、円周方向に１６個設けられた貫通孔５８が、半径方向に３段となっているので、音量が大きくなる。なお、人の可聴周波数は、およそ２０〜２００００ヘルツである。
【００３６】
次に、テニス練習具４０の使用方法について説明する。
まず、テニスラケット１１のストリングス１２にベース部材１９の４つの貫通孔２５にボルト２４を前方から挿通し、ベース部材１９の裏側の対応位置にスペーサー３７を配置して、ストリングス１２を挟んで反対側の上部及び下部にそれぞれ配置した固定板２３に設けられた貫通孔２３ａから突出したボルト２４にナット２８をねじ止めしてテニス練習具４０を取付ける。
【００３７】
テニス練習具４０を立設配置された図示しない壁板に向かってテニスラケット１１を振り、回転体４１を壁板に接触させると同時にテニスラケット１１を上方に振り回転体４１の回転円板５９を順回転させる。ここで、回転円板５９の回転により、回転円板５９の貫通孔５８と、固定円板５５の貫通孔５４が連通した際に、空気室５７内の空気が貫通孔５４から音発生器４２の外側へ放出されて音を発生する。この際には、回転体４１の外側から回転軸４５を介して空気室５７に空気が取り込まれる。発生する音の周波数、すなわち、音の高さによって回転体４１の回転数が解り、その回転数によって、回転体４１の回転の度合いを知ることができる。
【００３８】
回転体４１は、スプリング５０の付勢力に対向して、回動軸５１を介してベース部材１９側に移動することができる。これによって、回転体４１の壁板への接触による衝撃を緩衝することができる。回転体４１の外周面には、ゴム製リング１５が取付けられているので、回転体４１の壁板への接触時の衝撃をより和らげることができる。回転体４１が軸受部材４３から突出及び露出しているので、ラケットを振る際には回転体４１が壁板と接触して支持手段が壊れ難くなっている。
【００３９】
図９及び図１０を参照して、本発明の第３の実施の形態に係るテニス練習具６０について説明する。
テニス練習具６０は、車輪状の回転体６１がベース部材１９に対して、弾性部材の一例であるスプリング６２によって外方向に直角、すなわち、前方に突出して付勢されている点と、回転体６１のストリングス１２からの突出高さが、テニスボール１７の直径よりも若干、例えば、２〜３ｃｍ高くなっている点と、速度出力手段として、回転体６１の側部に取付けた金属板６３の回転数を検知するセンサーの一例である磁気センサー６４と、磁気センサー６４の出力を音の周波数に変換してスピーカから出力する音色型速度表示器６５とを有している点と、ベース部材１９の一端に引掛部２２が他端に貫通孔２５が設けられている点とが、テニス練習具１０、４０と異なっている。以下、詳しく説明する。
【００４０】
テニス練習具６０は、ベース部材１９（第１の実施の形態と実質的に同じ）の一端にストリングス１２に引っ掛けて固定可能な先部に爪３６を備えた引掛部２２が、１又は複数、例えば２個設けられている。また、ベース部材１９の他端には、１又は複数、例えば２個の貫通孔２５が設けられ、貫通孔２５連通する貫通孔２３ａを有する固定板２３をストリングス１２を挟んで反対側に配置して、貫通孔２５及び貫通孔２３ａに挿通するボルト２４及びナット２８によりストリングス１２に固定できるようになっている。
【００４１】
回転体６１に設けられ、左右方向に水平に配置される回転軸６６の両端をそれぞれ支持する図示しない軸受が設けられたコ字状軸受部６７を備えた軸受部材６８を有し、軸受部材６８と共に支持手段を構成するベース部材１９には、コ字状軸受部６７を前後方向に摺動可能に保持する断面コ字状の保持枠６９、７０がコ字状軸受部６７の左右両側に設けられている。
【００４２】
保持枠６９、７０の間で、しかも、コ字状軸受部６７の底部及びベース部材１９の上部には、コ字状軸受部６７をベース部材１９の外方向、すなわち、前方に付勢するスプリング６２が配置され、回転体６１が壁板に接触した際に、回転体６１がベース部材１９側に移動可能となって、回転体６１に強い衝撃があった際に、テニス練習具６０が壊れるのを防止している。また、回転体６１は、その外周面に反発性を有する部材の一例であるゴム製リング７１が取付けられ、回転体６１の壁板への接触時の衝撃を和らげている。なお、テニス練習具６０では、回転体６１のストリングス１２からの突出高さをテニスボール１７の直径よりも２〜３ｃｍ高くしたが、テニスボール１７の直径と同じ高さであってもよく、テニスボール１７の直径の２倍程度の高さにしてもよい。
【００４３】
テニス練習具６０は、磁気センサー６４によって検知した金属板６３の回転数をカウントする図示しないカウンタと、カウンタによって計測された回転数を時間当たりの回転数、すなわち、回転速度に変換する図示しないコンピュータが設けられ、更に、保持枠６９の外側には、コンピュータで変換された回転速度を音の周波数に変換してスピーカから出力する音色型速度表示器６５が取付けられ、発生する音の周波数によって回転体６１の回転速度を認識することができる。
【００４４】
次に、テニス練習具６０の使用方法について説明する。
まず、テニスラケット１１のストリングス１２にベース部材１９の一端に設けられた引掛部２２を引っ掛けた状態で、他端の貫通孔２５にボルト２４を前方から挿通し、ベース部材１９の裏側にスペーサー３７を配置して、ストリングス１２を挟んで反対側に配置した固定板２３に設けられた貫通孔２３ａから突出したボルト２４にナット２８をねじ止めしてテニス練習具６０を取付ける。なお、テニス練習具６０の引掛部２２を上側に、貫通孔２３ａを下側に配置することによって、貫通孔２３ａからボルト２４が外れた際に、テニス練習具６０がストリングス１２から外れ難くすることができる。
【００４５】
テニス練習具６０を立設配置された図示しない壁板に向かってテニスラケット１１を振り、回転体６１を壁板に接触させると同時にテニスラケット１１を上方に振り回転体６１を順回転させる。ここで、回転体６１に取付けられた金属板６３の回転を磁気センサー６４で検知し、カウンタ及びコンピュータによって時間当たりの回転数（回転速度）に変換され、更に、音色型速度表示器６５によって回転速度に応じた周波数の音を発生させる。
【００４６】
これによって、回転体６１の回転速度によって順回転の度合い、例えば、回転速度が速い場合には強烈なトップスピンを与えることができるスイングであったことが解る。また、回転体６１が軸受部材６８から突出及び露出しているので、ラケットを振る際には回転体６１が壁板と接触して支持手段が壊れ難くなっている。
【００４７】
図１１及び図１２を参照して、本発明の第４の実施の形態に係るテニス練習具８０について説明する。
テニス練習具８０は、ラケットの一例である疑似ラケット８１に固定されている。疑似ラケット８１には、フレーム１１ａにストリングスではなく、板状部材８２が取付けられている。なお、板状部材８２には、空気抵抗を抑えるために強度が損なわれない程度の空気抜き孔を設けてもよい。また、疑似ラケットとして、棒状の部材を使用してもよい。
【００４８】
テニス練習具８０は、弾性力を有する球体、例えば、テニスボールで構成される回転体８３と、板状部材８２に取付けられ、回転体８３の上部（図では、前方）を露出すると共に、回転自在に取付ける支持手段８４とを有している。支持手段８４は、板状部材８２に取付けられ、内部に設けられた空間部に回転体８３を回転可能に配置し支持している。支持手段８４は、回転体８３の半径よりも少しだけ大きい半径（例えば、１〜３ｍｍ程度、例えば、１ｍｍ）を有する半球状の凹部８５を備えた支持体基部８６と、支持体基部８６の先部に設けられた雄ねじ８７に螺合する雌ねじ８８を備え、支持体基部８６の凹部８５の上部に連通して設けられて、回転体８３の半径よりも少しだけ大きい半径（例えば、１〜３ｍｍ程度、例えば、１ｍｍ）を有する球状の凹部８９を備えた筒状の支持体先部９０とを有している。
【００４９】
更に、支持体基部８６の凹部８５及び支持体先部９０の凹部８９には、高さが１ｍｍの複数の半球状の突起部９１が設けられ、回転体８３と支持手段８４との間に隙間部９２が設けられている。突起部９１及び隙間部９２によって、回転体８３が回転し易くなっている。なお、回転体が回転し易い部材で構成されている場合には、突起部は設けなくてもよい。また、支持手段の空間部も、回転体が支持手段の先部から取り出されない大きさとすればよい。
【００５０】
テニス練習具８０は、支持体基部８６に回転体８３の表面のわずかな凹凸を感知して電気信号に変換する速度出力手段を構成するセンサーの一例である光電センサー９３と、光電センサー９３によって回転体８３の凹凸を検知して、回転体８３の回転をカウントする図示しないカウンタと、カウンタによって計測された回転数を時間当たりの回転数、すなわち、回転速度に変換する図示しないコンピュータと、支持体基部８６外側に光電センサー９３の出力、すなわち、回転速度に応じて光の色が変わる速度出力手段を構成する色可変型速度表示器９４とが設けられている。
【００５１】
色可変型速度表示器９４は、回転体８３の回転速度に応じて、発光する色を変える、例えば、青色、赤色、及び緑色の発光ダイオードを備えている。光電センサーは、支持手段８４の空間部の一部に設けてもよく、また、センサーとして空間部の一部に回転体８３に接触する複数の回転ローラ（例えば、コンピュータに使用されるボール式のマウスに使用されている）を設け、複数の回転ローラが回転する際の移動距離によって回転体８３の回転を検知してもよい。
【００５２】
次に、テニス練習具８０の使用方法について説明する。
まず、疑似ラケット８１に取付けられたテニス練習具８０を立設配置された図示しない壁板に向かって振り、回転体８３を壁板に接触させると同時に疑似ラケット８１を上方に振り回転体８３を順回転させる。回転体８３が球体で形成されているので、回転体８３をどの方向にも回転させることができ、疑似ラケット８１を上下方向以外に振るミスショットをしても回転体８３が回転可能となり、テニス練習具８０が壊れ難くなっている。色可変型速度表示器９４によって、回転体６１の回転速度によって順回転の度合い、例えば、回転速度が速い場合には強烈なトップスピンを与えることができるスイングであったことが解る。
【００５３】
本発明は、前記した実施の形態に限定されるものではなく、本発明の要旨を変更しない範囲での変更は可能であり、例えば、前記したそれぞれの実施の形態や変形例の一部又は全部を組み合わせて本発明のテニス練習具を構成する場合も本発明の権利範囲に含まれる。例えば、前記実施の形態のテニス練習具において、回転体の回転を検知するセンサーとして、光電センサー及び磁気センサー等を使用したが、回転体が車輪状の場合には、その回転軸に取付けられるロータリーエンコーダを使用してもよい。
【００５４】
また、テニス練習具は、強度を高くするために大型化してもよく、また、軽量化のために小型化してもよい。更に、回転体の回転軸には、回転体の回転に負荷をかけるギアを設けてもよく、ギアによって回転し難くなった回転体を速く回転させることによって強烈なスピンをかける練習ができる。回転体として、剛体からなる球体を使用してもよい。
【図面の簡単な説明】
【００５５】
【図１】本発明の第１の実施の形態に係るテニス練習具の正面図である。
【図２】同テニス練習具の側面図である。
【図３】同テニス練習具を取付けたテニスラケットの説明図である。
【図４】同テニス練習具の速度出力手段の説明図である。
【図５】本発明の第２の実施の形態に係るテニス練習具の正面図である。
【図６】同テニス練習具の側面図である。
【図７】同テニス練習具の平面図である。
【図８】（Ａ）、（Ｂ）はそれぞれ同テニス練習具の音発生器の正断面図、側面図である。
【図９】本発明の第３の実施の形態に係るテニス練習具の正面図である。
【図１０】同テニス練習具の側面図である。
【図１１】本発明の第４の実施の形態に係るテニス練習具の説明図である。
【図１２】同テニス練習具を取付けた疑似ラケットの説明図である。
【符号の説明】
【００５６】
１０：テニス練習具、１１：テニスラケット、１１ａ：フレーム、１２：ストリングス、１３：支持手段、１４：回転体、１５：ゴム製リング、１６：回転軸、１７：テニスボール、１８：反射材、１９：ベース部材、２０、２１：軸受部材、２２：引掛部、２３：固定板、２３ａ：貫通孔、２４：ボルト、２５：貫通孔、２６：フェイス面、２７：グリップ、２８：ナット、２９：発光部、３０：受光部、３１：光電センサー、３２：カウンタ、３３：コンピュータ、３４：指示計型表示器、３５：電池、３６：爪、３６ａ：音色型速度表示器、３７：スペーサー、３７ａ、３７ｂ、３７ｃ：発光ダイオード、３７ｄ：色可変型速度表示器、３８：点滅型速度表示器、４０：テニス練習具、４１：回転体、４２：音発生器、４３：軸受部材、４４：固定軸、４５、４５ａ：回転軸、４６、４７：滑り軸受、４８：コ字状軸受部、４９：支持基部、４９ａ：ストッパー、５０：スプリング、５０ａ：カバー、５１：回動軸、５２、５３：軸受部、５４：貫通孔、５５：固定円板、５５ａ：固定部材、５６：筒体、５７：空気室、５８：貫通孔、５９：回転円板、５９ａ：回転部材、６０：テニス練習具、６１：回転体、６２：スプリング、６３：金属板、６４：磁気センサー、６５：音色型速度表示器、６６：回転軸、６７：コ字状軸受部、６８：軸受部材、６９、７０：保持枠、７１：ゴム製リング、８０：テニス練習具、８１：疑似ラケット、８２：板状部材、８３：回転体、８４：支持手段、８５：凹部、８６：支持体基部、８７：雄ねじ、８８：雌ねじ、８９：凹部、９０：支持体先部、９１：突起部、９２：隙間部、９３：光電センサー、９４：色可変型速度表示器
【図１】
2006116077.tif 000003
【図２】
2006116077.tif 000004
【図３】
2006116077.tif 000005
【図４】
2006116077.tif 000006
【図５】
2006116077.tif 000007
【図６】
2006116077.tif 000008
【図７】
2006116077.tif 000009
【図８】
2006116077.tif 000010
【図９】
2006116077.tif 000011
【図１０】
2006116077.tif 000012
【図１１】
2006116077.tif 000013
【図１２】
2006116077.tif 000014